(57)【要約】【課題】ある中心軸を中心に径外向きに均一且つ高い照度で光を出射することが可能な灯具を提供する。【解決手段】船灯１０において、発光素子４２は、中心軸Ｘ上に発光部が位置するよう配置される。メインリフレクタ２２は、発光素子４２が発する光を反射する反射面２２ａを有する。反射面２２ａは、第１焦点Ｐ１が中心軸Ｘ上に位置し第２焦点Ｐ２が第１焦点Ｐ１よりも中心軸Ｘから離間する楕円弧を中心軸Ｘを中心に回転させた形状に形成されている。発光素子４２は、発光面の中心が第１焦点Ｐ１に位置するよう配置される。サブリフレクタ４４は、発光素子４２が発する光を中心軸Ｘを挟んだ反対側のレンズ部２４ａへ反射する。【選択図】図２
2012216334.tif 000002
【特許請求の範囲】
【請求項１】
仮想軸上に発光部が位置するよう配置された発光素子と、
前記発光素子が発する光を反射する反射面を有する光学部材と、
を備え、
前記反射面は、第１の焦点が前記仮想軸上またはその近傍に位置し第２の焦点が第１の焦点よりも前記仮想軸から離間する楕円弧を前記仮想軸を中心に回転させた形状を含むことを特徴とする灯具。
【請求項２】
前記発光素子が発する光を前記仮想軸を挟んだ反対側へ反射する補助光学部材をさらに備えることを特徴とする請求項１に記載の灯具。
【請求項３】
仮想軸上に発光部が位置するよう配置された第１発光素子と、第１発光素子が発する光を反射する第１反射面を有する第１光学部材と、を有する第１ユニットと、
前記仮想軸上に発光部が位置するよう配置された第２発光素子と、第２発光素子が発する光を反射する第２反射面を有する第２光学部材と、を有する第２ユニットと、
を備え、
前記第１反射面および第２の反射面の各々は、一方の焦点が前記仮想軸上またはその近傍に位置し他方の焦点が前記一方の焦点よりも前記仮想軸から離間する楕円弧を前記仮想軸を中心に回転させた形状を含み、
前記第１ユニットおよび前記第２ユニットは、前記第１反射面と前記第２反射面とが反対方向を向くよう配置されることを特徴とする灯具。
【発明の詳細な説明】
【技術分野】
【０００１】
本発明は、灯具に関し、特にある軸を中心に径外向きに光を出射する灯具に関する。
【背景技術】
【０００２】
船舶の夜間航海時の安全確保のため、船には船灯が通常設けられている。このような船灯は、海水や風雨、直射日光にさらされるなど厳しい環境に置かれる一方、安全な航海を実現するために高い信頼性が要求される。このため、例えば、白熱灯などの光源に比べ信頼性の高いＬＥＤ（Light Emitting Diode）を用いた船灯が提案されている（例えば、特許文献１参照）。
【先行技術文献】
【特許文献】
【０００３】
【特許文献１】特開２００７−０２７０５２号公報
【発明の概要】
【発明が解決しようとする課題】
【０００４】
この船灯は、海上衝突予防法などの規定を満たす必要がある。この海上衝突予防法では、軸方向の所定範囲にわたって所定値以上の照度を実現しなければならないことや、周方向の所定角度にわたって所定値以上の照度を実現しなければならないことなどが規定されている。しかしながら、例えば上述の特許文献に記載される船灯は、ＬＥＤを周方向に複数設けているため、このような海上衝突予防法の規定を満たすことは容易ではない。
【０００５】
そこで、本発明は上述した課題を解決するためになされたものであり、その目的は、ある中心軸を中心に径外向きに均一且つ高い照度で光を出射することが可能な灯具を提供することにある。
【課題を解決するための手段】
【０００６】
上記課題を解決するために、本発明のある態様の灯具は、仮想軸上に発光部が位置するよう配置された発光素子と、発光素子が発する光を反射する反射面を有する光学部材と、を備える。反射面は、第１の焦点が仮想軸上またはその近傍に位置し第２の焦点が第１の焦点よりも仮想軸から離間する楕円弧を仮想軸を中心に回転させた形状を含む。
【０００７】
この態様によれば、発光素子が楕円弧の回転体状に形成された反射面の焦点近傍に配置されるため、周方向に均一な光を照射することが可能となる。このため、船灯などに適した灯具を提供することができる。
【０００８】
発光素子が発する光を仮想軸を挟んだ反対側へ反射する補助光学部材をさらに備えてもよい。この態様によれば、発光素子が発する光を効率よく利用することができ、灯具が発する光の光度を高めることができる。
【０００９】
本発明の別の態様もまた、灯具である。この灯具は、仮想軸上に発光部が位置するよう配置された第１発光素子と、第１発光素子が発する光を反射する第１反射面を有する第１光学部材と、を有する第１ユニットと、仮想軸上に発光部が位置するよう配置された第２発光素子と、第２発光素子が発する光を反射する第２反射面を有する第２光学部材と、を有する第２ユニットと、を備える。第１反射面および第２の反射面の各々は、一方の焦点が仮想軸上またはその近傍に位置し他方の焦点が一方の焦点よりも仮想軸から離間する楕円弧を仮想軸を中心に回転させた形状を含む。第１ユニットおよび第２ユニットは、第１反射面と第２反射面とが反対方向を向くよう配置される
この態様によれば、まず、第１反射面および第２の反射面の各々が、このように楕円弧を仮想軸を中心に回転させた形状に形成されているため、周方向に均一な光を照射することが可能となる。また、第１反射面と第２反射面とが反対向きとなるよう第１ユニットと第２ユニットとが配置されていることにより、仮想軸と平行な方向にもより均一な光を照射することができる。
【発明の効果】
【００１０】
本発明によれば、ある中心軸を中心に径外向きに均一且つ高い照度で光を出射することが可能な灯具を提供することができる。
【図面の簡単な説明】
【００１１】
【図１】第１の実施形態に係る船灯の前面図である。
【図２】第１の実施形態に係る船灯の断面図である。
【図３】レンズ部の形状を示すレンズの断面図である。
【図４】第２の実施形態に係る船灯の断面図である。
【図５】第３の実施形態に係る船灯の断面図である。
【図６】第４の実施形態に係る船灯の断面図である。
【発明を実施するための形態】
【００１２】
（第１の実施形態）
以下、図面を参照して本発明の実施の形態（以下、実施形態という）について詳細に説明する。
【００１３】
図１は、第１の実施形態に係る船灯１０の前面図である。船灯１０は安全な航海を実現するために船に取り付けられる灯具である。船灯１０は、白灯、両色灯、げん灯、マスト灯、および船尾灯（スタンライト）のいずれに用いられてもよい。なお、船灯１０と同様の灯具が、船灯以外の用途に用いられてもよい。
【００１４】
船灯１０は円柱形に形成される。船灯１０は、上方ユニット１２および下方ユニット１４を有する。下方ユニット１４の上部に上方ユニット１２の下部が固定され、船灯１０が構成される。
【００１５】
図２は、第１の実施形態に係る船灯１０の断面図である。船灯１０は、中心軸Ｘを含む面による断面を示している。上方ユニット１２は、第１アウターカバー２０、メインリフレクタ２２、およびレンズ２４を有する。第１アウターカバー２０は、船灯１０のトップカバーとして機能し、船灯１０の上部を覆う。第１アウターカバー２０は、円盤状の上部と、上部の縁から鉛直下方に伸びる円筒状部分とが一体的に成形され構成される。第１アウターカバー２０の下方の開口部分にメインリフレクタ２２が固定される。
【００１６】
メインリフレクタ２２は、下方に向く反射面２２ａを有する。反射面２２ａには、アルミ蒸着などによる鏡面処理が施されている。反射面２２ａは、第１焦点Ｐ１が中心軸Ｘ上に位置し第２焦点Ｐ２が第１焦点Ｐ１よりも中心軸Ｘから離間する楕円弧を中心軸Ｘを中心に３６０度回転させた形状に形成される。なお、反射面２２ａは、第１焦点Ｐ１が中心軸Ｘの近傍に位置していてもよい。また、反射面２２ａは、第１焦点Ｐ１が中心軸Ｘに位置し第２焦点Ｐ２が第１焦点Ｐ１よりも中心軸Ｘから離間する楕円弧を中心軸Ｘを中心に３６０度未満の所定角度で回転させた形状を含むよう形成されていてもよい。また、反射面２２ａはこのように楕円弧の回転体形状の他の形状を含んでいてもよい。
【００１７】
レンズ２４は、軸方向の長さが一定な円環状に形成され、メインリフレクタ２２の縁部から下方に伸びるようメインリフレクタ２２の縁部に接着または溶着などで固定される。レンズ２４は無色透明な樹脂によって成形されている。なお、レンズ２４は有色透明であってもよく、また、例えばガラスなど樹脂以外の材料であってもよい。
【００１８】
レンズ２４は、レンズ部２４ａおよび雌ネジ部２４ｂを有する。レンズ部２４ａは、メインリフレクタ２２からの反射光が中心軸Ｘを中心に径外向きに通過する開口部に配置され、船灯１０内部の光を外部に出射する。中心に径外向きに光を通過させる開口部は、中心軸Ｘを中心に３６０度未満の所定角度にわたって設けられていてもよい。レンズ部２４ａは、この開口部を覆うように中心軸Ｘを中心に同一の所定角度にわたって設けられていてもよい。船灯の種類によっては、３６０度未満の所定角度の範囲で放射状に光を照射させることが要求されるものが存在する。この場合、レンズ２４を中心軸Ｘを所定角度にわたって設けることにより、その角度に光の出射方向を限定することができる。雌ネジ部２４ｂは、レンズ部２４ａから下方に延在する部分に設けられる。
【００１９】
下方ユニット１４は、ベースプレート３０、第２アウターカバー３２、光源取付部材３４、ＬＥＤ基板ユニット３６、キャップ３８、およびサブリフレクタ４４を有する。ベースプレート３０は、円盤状に形成されている。ベースプレート３０は、船灯１０を船体に固定するための取付孔３０ｃが設けられている。ベースプレート３０の中心には円形の開口部３０ｂが設けられており、この開口部３０ｂにキャップ３８が嵌め込まれる。
【００２０】
第２アウターカバー３２は、第１アウターカバー２０と同一径を有する円筒状に形成されている。光源取付部材３４は、円板状のプレート部３４ａおよびプレート部３４ａの縁部から鉛直下方に伸びる筒状部３４ｂとが一体的に成形され構成されている。プレート部３４ａの外径は第２アウターカバー３２の内径と略同一となっており、光源取付部材３４は第２アウターカバー３２の内部に嵌め入れられる。ベースプレート３０には円形の溝３０ａが設けられており、この溝３０ａに第２アウターカバー３２および光源取付部材３４の双方の下端部が嵌め込まれ固定される。船灯１０の内部に水が侵入すると、船灯１０内部の金属製部品の錆の要因となる。このため水の侵入を防ぐよう、このときの固定方法として超音波溶着が用いられている。
【００２１】
ＬＥＤ基板ユニット３６は、プリント配線基板である基板４０、および発光素子４２を有する。発光素子４２は、ＬＥＤ発光素子であり、基板４０に予め実装されている。なお、発光素子がＬＥＤに限られないことはもちろんである。発光素子４２は、いわゆる砲弾型よりもチップ型のものが好ましい。砲弾型は左右方向に出射する光量が相対的に少なく、且つ中心軸Ｘに長く構成される。これに対しチップ型は、左右方向にも出射する光量が大きいため、中心軸Ｘと交差する方向に出射させることに適しているからである。なお、砲弾型のＬＥＤが採用されてもよいことは勿論である。
【００２２】
第１の実施形態では、発光素子４２には白色ＬＥＤが採用されている。なお、発光素子４２が発する光の色が白色に限られないことは勿論である。たとえば船灯１０が両式灯として用いられる場合、発光素子４２に緑色ＬＥＤまたは赤色ＬＥＤが採用されてもよい。また、船灯１０が白灯、マスト灯、または船尾灯として用いられる場合、発光素子４２に白色ＬＥＤが採用されてもよい。また、船灯１０がげん灯として用いられる場合、右舷に配置される船灯１０の発光素子４２に緑色ＬＥＤ、左舷に配置される船灯１０の発光素子４２に赤色ＬＥＤが採用されてもよい。
【００２３】
基板４０は円盤状に形成されており、この中心に発光素子４２が配置される。この発光素子４２の発光面の中心が中心軸Ｘに位置するよう配置される。ＬＥＤ基板ユニット３６は、光源取付部材３４のプレート部３４ａ上にねじ止めまたはビス止めにより固定される。このとき発光素子４２は、主光軸が鉛直上方に向くよう配置される。このため発光素子４２の主光軸は中心軸Ｘと重なる。
【００２４】
第２アウターカバー３２の上端には雄ネジ部３２ａが設けられている。この第２アウターカバー３２の雄ネジ部３２ａにレンズ２４の雌ネジ部２４ｂが螺合し、上方ユニット１２が下方ユニット１４に固定される。このように螺合によって上方ユニット１２を下方ユニット１４に固定することで、上方ユニット１２の交換容易化を実現できる。
【００２５】
こうして上方ユニット１２が下方ユニット１４に固定されると、発光素子４２はメインリフレクタ２２の反射面２２ａに対向するよう配置される。このとき発光素子４２は、発光面の中心に第１焦点Ｐ１が位置するようメインリフレクタ２２に対し相対的に配置される。発光素子４２の発光面から発せられた光は、反射面２２ａによって反射され、レンズ２４を通過して中心軸Ｘを中心に径外向きに放射状に出射される。したがってメインリフレクタ２２は、発光素子４２からの光を反射する光学部材として機能する。
【００２６】
なお、反射面２２ａは、中心軸Ｘを含む断面において第１焦点Ｐ１と第２焦点Ｐ２とを結ぶ直線が中心軸Ｘと垂直な平面に対し所定角度を成すよう形成される。具体的には、反射面２２ａは、中心軸Ｘを含む断面において第１焦点Ｐ１と第２焦点Ｐ２とを結ぶ直線が中心軸Ｘと垂直な平面に対して上方に４５度未満の角度を成すように形成されている。反射面２２ａから発せられた光は、反射面２２ａから４５度を成す方向において最も光量が多いことが知られている。このように反射面２２ａを形成することにより、より多くの光を反射面２２ａで反射させて径外向きに出射させることができる。
【００２７】
メインリフレクタ２２の反射面２２ａと光源取付部材３４のプレート部３４ａ上面との間に充填された光透過部材を有していてもよい。この光透過部材は、無色透明または有色透明であってもよい。
【００２８】
サブリフレクタ４４は、軸方向の長さが一定な円環状に形成されている。サブリフレクタ４４は、中心軸Ｘと同軸にプレート部３４ａの上面に配置される。サブリフレクタ４４は基板４０よりも大きな径を有し、ＬＥＤ基板ユニット３６を囲うように配置される。サブリフレクタ４４の内面には、反射面４４ａが設けられている。反射面４４ａには、アルミ蒸着などの鏡面処理が施されている。サブリフレクタ４４は、発光素子４２が発する光のうち、反射面２２ａにもレンズ２４にも直接到達しない光を、中心軸Ｘを挟んだ反対側のレンズ部２４ａへ向けて反射する。したがってサブリフレクタ４４は、発光素子４２からの光を反射する補助光学部材として機能する。これにより、発光素子４２が発する光を効率的に利用することができる。
【００２９】
図３は、レンズ部２４ａの形状を示すレンズ２４の断面図である。レンズ部２４ａには、シリンドリカルレンズが採用されている。具体的には、図３に示すように、レンズ部２４ａの外面には、軸方向に進むにしたがって水平方向に波打つように湾曲するステップが設けられたシリンドリカル面が設けられている。
【００３０】
第１光路Ｌ１は、発光素子４２から発せられ反射面２２ａによって反射された光が第２焦点Ｐ２を通過し、さらにレンズ部２４ａを透過して外部に出射する光の経路の一例を示している。第２光路Ｌ２は、発光素子４２から発せられた光がレンズ部２４ａに直接到達し、レンズ部２４ａを透過して外部に出射する光の経路の一例を示している。第３光路Ｌ３は、発光素子４２から発せられ光がサブリフレクタ４４の反射面４４ａによって反射された光がレンズ部２４ａを透過して外部に出射する光の経路の一例を示している。
【００３１】
このようにレンズ部２４ａにシリンドリカルレンズを採用することによって、第１光路Ｌ１、第２光路Ｌ２、および第３光路Ｌ３による光を鉛直方向に適度に拡散することができる。このため、鉛直方向への光の偏りを抑制することができる。なお、レンズ部２４ａを透過する光の多くは反射面２２ａからの反射光であるため、とくに第１光路Ｌ１の光が拡散するよう設けられている。また、シリンドリカル面は、レンズ部２４ａのシリンドリカル面は、レンズ部２４ａの内面に設けられていてもよい。
【００３２】
（第２の実施形態）
図４は、第２の実施形態に係る船灯１００の断面図である。なお、第１の実施形態と同様の個所は同一の符号を付して説明を省略する。
【００３３】
船灯１００は、上方ユニット１２、中間ユニット１０６、および下方ユニット１０４を有する。中間ユニット１０６は、第２アウターカバー１０８、プレート１１０、一対のＬＥＤ基板ユニット３６、一対のサブリフレクタ４４を有する。第２アウターカバー１０８は、第１アウターカバー２０と同一径の円筒形に形成されている。プレート１１０は第２アウターカバー１０８の内径と略同一の外径を有する円盤状に形成されている。プレート１１０は、第２アウターカバー１０８に嵌め入れられ接着または溶着などによって固定される。
【００３４】
一対のＬＥＤ基板ユニット３６の一方は、プレート１１０の上面に、発光素子４２の発光面の中心がプレート１１０の中心に位置するよう配置される。一対のＬＥＤ基板ユニット３６の他方は、プレート１１０の下面に、発光素子４２の発光面の中心がプレート１１０の中心に位置するよう配置される。一対のサブリフレクタ４４の一方は、プレート１１０の上面にプレート１１０と同軸となるよう配置され、他方はプレート１１０の下面にプレート１１０と同軸となるよう配置される。
【００３５】
下方ユニット１０４は、ベースプレート１２０、第３アウターカバー１２２、メインリフレクタ２２、レンズ２４、およびキャップ３８を有する。ベースプレート１２０は、円盤状に形成されている。ベースプレート１２０は、船灯１００を船体に固定するための取付孔１２０ｃが設けられている。ベースプレート１２０の中心には円形の開口部１２０ｂが設けられており、この開口部１２０ｂにキャップ３８が嵌め込まれる。
【００３６】
第３アウターカバー１２２は、第１アウターカバー２０および第２アウターカバー１０８と同一形の円筒状に形成される。ベースプレート１２０には円形の溝１２０ａが設けられており、この溝１２０ａに第３アウターカバー１２２の下端部が嵌め込まれ固定される。第３アウターカバー１２２の上端には、反射面２２ａが上方を向くようメインリフレクタ２２の縁部の下面が固定される。さらにメインリフレクタ２２の縁部の上面には、雌ネジ部２４ｂがレンズ部２４ａよりも上方に位置するようレンズ２４が固定される。
【００３７】
第２アウターカバー１０８の上端および下端には、雄ネジ部１０８ａが設けられている。第２アウターカバー１０８の下端部に設けられた雄ネジ部１０８ａは、下方ユニット１０４のレンズ２４の雌ネジ部２４ｂに螺合され固定される。これにより、中間ユニット１０６が下方ユニット１０４に固定される。次に、上方ユニット１２におけるレンズ２４の雌ネジ部２４ｂが、第２アウターカバー１０８の上端部に設けられた雄ネジ部１０８ａに螺合され固定される。これにより、上方ユニット１２が中間ユニット１０６に固定される。こうして船灯１００が構成される。
【００３８】
ここで、プレート１１０より上方のＬＥＤ基板ユニット３６、メインリフレクタ２２、レンズ２４、およびサブリフレクタ４４を、第１光源ユニット１３０とする。また、プレート１１０より下方のＬＥＤ基板ユニット３６、メインリフレクタ２２、レンズ２４、およびサブリフレクタ４４を、第２光源ユニット１３２とする。
【００３９】
第１光源ユニット１３０において、メインリフレクタ２２は、反射面２２ａの第１焦点Ｐ１が中心軸Ｘ上に位置し、反射面２２ａが下方を向くよう配置される。発光素子４２は、発光面が反射面２２ａと対向するよう反射面２２ａの下方において発光面が鉛直上方を向くよう配置される。メインリフレクタ２２は、発光素子４２が発する光が反射面２２ａによって反射され中心軸Ｘを中心に径外向きに放射されるよう、反射面２２ａの第１焦点Ｐ１が発光素子４２の発光面の中心に位置するよう配置される。
【００４０】
第２光源ユニット１３２において、メインリフレクタ２２は、反射面２２ａの第１焦点Ｐ１が中心軸Ｘ上に位置し、反射面２２ａが上方を向くよう配置される。発光素子４２は、発光面が反射面２２ａと対向するよう反射面２２ａの上方において発光面が鉛直下方を向くよう配置される。メインリフレクタ２２は、発光素子４２が発する光が反射面２２ａによって反射され中心軸Ｘを中心に径外向きに放射されるよう、反射面２２ａの第１焦点Ｐ１が発光素子４２の発光面の中心に位置するよう配置される。
【００４１】
このように、第１光源ユニット１３０と第２光源ユニット１３２とを軸方向に並設することで、船灯１００による光量を増加させることができる。このとき第１光源ユニット１３０および第２光源ユニット１３２は、各々の反射面２２ａが反対方向を向くように配置される。具体的には、第１光源ユニット１３０および第２光源ユニット１３２は、プレート１１０の中心面に対して面対称に構成される。このように第１光源ユニット１３０と第２光源ユニット１３２とを逆向きに配置することで、船灯１００から出射される光の鉛直方向の均一性を高めることができる。
【００４２】
（第３の実施形態）
図５は、第３の実施形態に係る船灯２００の断面図である。以下、上述の実施形態と同様の個所は同一の符号を付して説明を省略する。
【００４３】
船灯２００は、上方ユニット２０４、中間ユニット２０６、および下方ユニット１４を有する。上方ユニット２０４は、第１アウターカバー２１０、ＬＥＤ基板ユニット３６、およびサブリフレクタ４４を有する。第１アウターカバー２１０は、船灯２００のトップカバーとして機能し、船灯２００の上部を覆う。第１アウターカバー２１０は、円盤状の上部と、上部の縁から鉛直下方に伸びる、第２アウターカバー３２と同一径の円筒状部分とが一体的に成形され構成される。
【００４４】
ＬＥＤ基板ユニット３６は、第１アウターカバー２１０の円盤状の部分の下面に、発光素子４２の発光面の中心が当該円盤状の部分の中心に位置するよう配置される。サブリフレクタ４４は、当該円盤状の部分の下面に同軸となるよう配置される。
【００４５】
中間ユニット２０６は、第３アウターカバー２１２、一対のメインリフレクタ２２、および一対のレンズ２４を有する。第３アウターカバー２１２は、第２アウターカバー３２と同一径の円筒状に形成される。
【００４６】
第３アウターカバー２１２の上端には、反射面２２ａが上方を向くようメインリフレクタ２２の縁部下面が固定される。そのメインリフレクタ２２の縁部上面にはレンズ２４が取り付けられる。このときレンズ２４は、雌ネジ部２４ｂがレンズ部２４ａよりも上方に位置するよう配置される。第３アウターカバー２１２の下端には、反射面２２ａが下方を向くようメインリフレクタ２２の縁部上面が固定される。そのメインリフレクタ２２の縁部下面にはレンズ２４が取り付けられる。このときレンズ２４は、雌ネジ部２４ｂがレンズ部２４ａよりも下方に位置するよう配置される。
【００４７】
下方ユニット１４の第２アウターカバー３２の雄ネジ部３２ａに、中間ユニット２０６の下方のレンズ２４の雌ネジ部２４ｂが螺合され、中間ユニット２０６が下方ユニット１４に固定される。また、第１アウターカバー２１０の円筒状部分の下端には、雄ネジ部２１０ａが設けられている。中間ユニット２０６の上方のレンズ２４の雌ネジ部２４ｂに、第１アウターカバー２１０の雄ネジ部２１０ａが螺合され、上方ユニット２０４が中間ユニット２０６に固定される。こうして船灯２００が構成される。
【００４８】
ここで、第３アウターカバー２１２の高さ方向中央より上方のＬＥＤ基板ユニット３６、メインリフレクタ２２、レンズ２４、およびサブリフレクタ４４を、第１光源ユニット２２０とする。また、第３アウターカバー２１２の高さ方向中央より下方のＬＥＤ基板ユニット３６、メインリフレクタ２２、レンズ２４、およびサブリフレクタ４４を、第２光源ユニット２２２とする。
【００４９】
第１光源ユニット２２０において、メインリフレクタ２２は、反射面２２ａの第１焦点Ｐ１が中心軸Ｘ上に位置し、反射面２２ａが上方を向くよう配置される。発光素子４２は、発光面が反射面２２ａと対向するよう反射面２２ａの上方において発光面が鉛直下方を向くよう配置される。メインリフレクタ２２は、発光素子４２が発する光が反射面２２ａによって反射され中心軸Ｘを中心に径外向きに放射されるよう、反射面２２ａの第１焦点Ｐ１が発光素子４２の発光面の中心に位置するよう配置される。
【００５０】
第２光源ユニット２２２において、メインリフレクタ２２は、反射面２２ａの第１焦点Ｐ１が中心軸Ｘ上に位置し、反射面２２ａが下方を向くよう配置される。発光素子４２は、発光面が反射面２２ａと対向するよう反射面２２ａの下方において発光面が鉛直上方を向くよう配置される。メインリフレクタ２２は、発光素子４２が発する光が反射面２２ａによって反射され中心軸Ｘを中心に径外向きに放射されるよう、反射面２２ａの第１焦点Ｐ１が発光素子４２の発光面の中心に位置するよう配置される。
【００５１】
このように、第１光源ユニット２２０と第２光源ユニット２２２とを軸方向に並設することで、船灯１００による光量を増加させることができる。このとき第３の実施形態においても、第１光源ユニット２２０および第２光源ユニット２２２は、各々の反射面２２ａが反対方向を向くように配置される。具体的には、第１光源ユニット２２０および第２光源ユニット２２２は、第３アウターカバー２１２の高さ方向中央の面に対して面対称に構成される。このように、第２の実施形態と異なる態様で第１光源ユニット２２０と第２光源ユニット２２２とを逆向きに配置しても、船灯１００から出射される光の鉛直方向の均一性を高めることができる。
【００５２】
（第４の実施形態）
図６は、第４の実施形態に係る船灯３００の断面図である。以下、上述の実施形態と同様の個所は同一の符号を付して説明を省略する。
【００５３】
船灯３００は、メインユニット３０２およびアウターレンズ３０４を有する。メインユニット３０２は、ベースプレート３０６、プレート３０８、リフレクタ３１０、ＬＥＤ基板ユニット３６、およびリベット３１２を有する。
【００５４】
ベースプレート３０６は、円盤状に形成されている。ベースプレート３０６は、上方に突出する複数の突出部３０６ａを有する。プレート３０８もまた円盤状に形成されている。プレート３０８の上面にはＬＥＤ基板ユニット３６が配置される。このときＬＥＤ基板ユニット３６は、発光素子４２の発光面の中心が中心軸Ｘ上に位置するよう配置される。サブリフレクタ４４は、ＬＥＤ基板ユニット３６を囲うようプレート３０８の上面に同軸に配置される。
【００５５】
リフレクタ３１０は、反射面３１０ａを有する。反射面３１０ａには、アルミ蒸着などの鏡面処理が施されている。反射面３１０ａは、第１焦点Ｐ１が中心軸Ｘ上に位置し第２焦点Ｐ２が第１焦点Ｐ１よりも中心軸Ｘから離間する楕円弧を中心軸Ｘを中心に３６０度回転させた形状に形成される。なお、反射面３１０ａは、第１焦点Ｐ１が中心軸Ｘの近傍に位置していてもよい。
【００５６】
リフレクタ３１０は、中心軸Ｘを中心に３６０度未満の所定角度開口する開口部３１０ｂを有する。開口部３１０ｂは、軸方向に均一な幅となるよう設けられている。反射面３１０ａに対する開口部３１０ｂの軸方向の位置および長さは第１の実施形態におけるレンズ２４の軸方向の位置および長さと同様である。
【００５７】
リフレクタ３１０は、下端部から径方向外側に広がるフランジ部３１０ｃを有する。フランジ部３１０ｃには取付孔が設けられている。リベット３１２は、この取付孔に挿入され、プレート３０８の取付孔を通じてベースプレート３０６の突出部３０６ａに締結される。これにより、リフレクタ３１０、およびプレート３０８がベースプレート３０６に固定される。このときの、発光素子４２、反射面３１０ａ、およびサブリフレクタ４４の位置関係は、第１の実施形態に係る発光素子４２、反射面２２ａ、およびサブリフレクタ４４と同様である。
【００５８】
アウターレンズ３０４は、無色透明な樹脂によって成形されている。なお、アウターレンズ３０４が有色透明な材料によって形成されてもよく、また、ガラスなど樹脂以外の材料によって成形されてもよい。アウターレンズ３０４は、一定の厚みを有し、外径が半球状となるよう形成される。
【００５９】
アウターレンズ３０４の下端部内面には、雌ネジ部３０４ａが設けられている。また、ベースプレート３０６の縁部には、雄ネジ部３０６ｂが設けられている。この雄ネジ部３０６ｂに雌ネジ部３０４ａが螺合され、アウターレンズ３０４が中間ユニット２０６に固定される。
【００６０】
このようにアウターレンズ３０４を設けることにより、アウターレンズ３０４とベースプレート３０６との間の接続個所以外は継ぎ目がないよう船灯３００を構成することができる。このため、船灯３００内部への水侵入のリスクを低減させることができる。
【００６１】
本発明は上述の実施形態に限定されるものではなく、本実施形態の各要素を適宜組み合わせたものも、本発明の実施形態として有効である。また、当業者の知識に基づいて各種の設計変更等の変形を本実施形態に対して加えることも可能であり、そのような変形が加えられた実施形態も本発明の範囲に含まれうる。
【符号の説明】
【００６２】
１０  船灯、  １２  上方ユニット、  １４  下方ユニット、  ２０  第１アウターカバー、  ２２  メインリフレクタ、  ２２ａ  反射面、  ２４  レンズ、  ２４ａ  レンズ部、  ３０  ベースプレート、  ３２  第２アウターカバー、  ３４  光源取付部材、  ３６  ＬＥＤ基板ユニット、  ４０  基板、  ４２  発光素子、  ４４  サブリフレクタ、  ４４ａ  反射面、  １００  船灯、  １０２  上方ユニット、  １０４  下方ユニット、  １０６  中間ユニット、  １０８  第２アウターカバー、  １１０  プレート、  １２０  ベースプレート、  １２２  第３アウターカバー、  １３０  第１光源ユニット、  １３２  第２光源ユニット、  ２００  船灯、  ２０４  上方ユニット、  ２０６  中間ユニット、  ２１０  第１アウターカバー、  ２１２  第３アウターカバー、  ２２０  第１光源ユニット、  ２２２  第２光源ユニット、  ３００  船灯、  ３０２  メインユニット、  ３０４  アウターレンズ、  ３０６  ベースプレート、  ３０８  プレート、  ３１０  リフレクタ、  ３１０ａ  反射面、  ３１０ｂ  開口部。
【図１】
2012216334.tif 000003
【図２】
2012216334.tif 000004
【図３】
2012216334.tif 000005
【図４】
2012216334.tif 000006
【図５】
2012216334.tif 000007
【図６】
2012216334.tif 000008